Podtech/llm-jp-corpus-v4-ja_patent huggingface dataset:
(57)【要約】【課題】  排水管の排水時に、雨水や汚水の飛沫により床面の黒ずみと排水管回りの汚れを防止する、配水管の排水飛散防止用具を提供する。【解決手段】  帯状の長尺板（１）の一端に折り曲げて部（４）を設け、長尺板（１）の側部を波型に形成し、外形の形状を円筒状にした状態で、両端に調節部を設けたことを特徴とする排水管の排水飛散防止用具。【選択図】図２
2009138512.tif 000002
【特許請求の範囲】
【請求項１】
帯状の長尺板（１）の一端に折り曲げて部（４）を設け、長尺板（１）の側部を波型に形成し、外形の形状を円筒状にした状態で、両端に調節部を設けたことを特徴とする排水管の排水飛散防止用具。
【請求項２】
波型の長尺板を平型にした請求項１記載の排水飛散防止用具。
【発明の詳細な説明】
【技術分野】
【０００１】  本発明は、帯状の長尺板の一端に折り曲げて部を設け、長尺板の側部を波型に形成し、外形の形状を円筒状にした状態で、両端に調節部を設けたことを特徴とする排水管の排水飛散防止用具で、屋根の雨水を集めて排水する排水管の排水及び雨水等によって床面の飛沫を防げる排水管の排水飛散防止用具に関するものである。
【背景技術】
【０００２】  従来、排水管の周囲は、排水や汚水等で汚れてしまうために黒い汚れが発生するので床面に付着した汚れと一緒にブラシや雑布で除去していた。
【発明の開示】
【発明が解決しようとする課題】
【０００３】  そのため、次のような問題点があった。
従来、建造物に設けられている雨水用の排水管には飛散を防止する用具は取り付けられていなかった。
本発明は、これらを解決するためになされたものである。
【課題を解決するための手段】
【０００４】  帯状の長尺板（１）の一端に折り曲げて部（４）を設け、長尺板（１）の側部を波型に形成し、外形の形状を円筒状にした状態で、両端に調節部を設けたことを特徴とする排水管の排水飛散防止用具である。
または、波型の長尺板を平型にしたことが特徴の排水飛散防止用具である。
【発明の効果】
【０００５】  本発明は、排水管の開口部から雨水や汚水の飛沫を、ワクを取り付けることで、床面の黒い汚れを防ぎ排水管の回りも汚れなくなる。
【発明を実施するための最良の形態】
【０００６】  以下、本発明の実施の形態を説明する。
（イ）帯状の長尺板（１）の上部を折り曲げて、折り曲げて部（４）を設け、波板状の帯    状の長尺板（１）を円筒状に形成した本体（Ａ）を形成する。
（ロ）長尺板（１）の両側を重ね合わせて本体の径を調設する連結部（２）を設ける。
（ハ）本体（Ａ）の上面の中央部を開口部（３）と本体（Ａ）の底面も開放された開口部    とする。
（ニ）本体（Ａ）は、上部から下方へ向けて末広がり状に形成する。
本発明は以上のような構成である。
本発明を使用するときは、排水管の下部にある鉄柵の回りを囲うように取り付ける。
両端の連結部は、排水管の太さにしたがって重なる部分を調節することができる。
【図面の簡単な説明】
【０００７】
【図１】  本発明の展開した状態の斜視図である。
【図２】  本発明の波型に形成した状態の斜視図である。
【図３】  本発明の波型を平型にした状態を示した斜視図である。
【図４】  本発明の使用状態を示した斜視図である。
【符号の説明】
【０００８】    １  長尺板
２  連結部
３  開口部
４  折り曲げ部
Ａ  本体
【図１】
2009138512.tif 000003
【図２】
2009138512.tif 000004
【図３】
2009138512.tif 000005
【図４】
2009138512.tif 000006
(57)【要約】      （修正有）【課題】車両の駐車、発進、などに於ける誤操作による暴走を制御する装置の提供。【解決手段】車両の駐車床面に任意の形状の空転体５を設置し、平常時はブレーキ機構４で空転を為さず、暴走車を機械的、又は、電気的センサーなどにより感知した時、ブレーキ機構４が解除され空転体５が作動をなし、暴走車の車輪を空転させ推進力を減殺し事故を軽減、防止、救命する方法である。【選択図】図２
2009138511.tif 000002
【特許請求の範囲】
【請求項１】
任意の形状の空転体により、暴走車両の車輪を空転させ推進力を減殺させる方法
【請求項２】
車両を駐車床面の穴に落ち込ませ暴走を制御する方法
【発明の詳細な説明】
【技術分野】
【０００１】車両の駐車、発進などに於ける暴走防止方法に関するものである
【背景技術】
【０００２】現在、街中に多くの駐車場が存在する、然るに、しばしば、車両が前後に誤った発進、駐車を為し大事故を惹起している、特に高層の駐車場などでは転落死亡事故の現状がある
【発明の開示】
【発明が解決しようとする課題】
【０００３】この車両の誤発進、誤駐車などに於ける事故の防止と軽減、救命を目指すものである
【課題を解決するための手段】
【０００４】まず、駐車場の車両が載る床面に、パイプ、球体、その他任意の形体の、空転を為す物体を平面状に敷設した型枠を設置する、例えば第１図の１、この方式の場合平常時は空転体は底面が床面に接地を為し空転を為さない【０００５】そして車両のストップ位置に柵を設置する、例えば第１図の２、【０００６】次にこのストップ用の柵と前述の型枠とを床面下、又は床面で、ストップ柵が梃子の働きを為し、空転体型枠を浮上させる機構で連結させる、例えば第１図の３【０００７】そして暴走車両がストップ用の柵を押した場合、梃子の原理で車両の乗った型枠を床面から浮上させる、例えば第２図（空転機能の作動図の例）【０００８】次に、第３図の如く空転体の型枠を固定させ、空転体の底面、又は側面などにブレーキ機能を付設する  例えば第３図の４【０００９】そして車両がストップ柵を押した場合、空転体底面のブレーキ機能が解除され、空転体がフリーになり、暴走車両の車輪が空転をする（第３図はブレーキ解除機能の作動例図）【００１０】又、第４図の如く、暴走車両がストップ柵を押せば、空転体型枠の保持機構が解除され、車両を穴に落ち込ませる方法である、穴は任意の形状で可能である【００１１】  尚、前述の何れの方式に於いても、センサーなどを用いて電気的な方法で機構を作動させる方法も可能であり、【００１２】  又、空転体の部位別に、任意の回転抵抗、ブレーキ機能を保持させる方法も可能である
【発明の効果】
【００１３】第２図方式では、誤発進、誤駐車などで暴走車がストップ用の柵を押した場合、車両の乗った型枠が床面から浮上、空転体が働き車両の車輪が空転を為し、推進力を減殺する、【００１４】第３図方式では、暴走車がストップ柵を押した場合、空転体型枠の底面のブレーキ機能が解除され、空転体が機能し車両の、車輪の推進力が減殺されるものである【００１５】又、第４図の車両を床面の穴に落ち込ませる方法は、他者に被害を及ぼさない抑止効果を得るものであり、平面な路面などの場合の事故の軽減、防止、救命に役立つものである
【発明を実施するための最良の形態】
【００１６】まず、第１図の如く駐車スペースの床面に、パイプなどを空転体として組み込んだ型枠を床面に設置する、【００１７】次に車両のストップ柵を立て、床面下で車両をのせる型枠と接続をなす、（第１図の３）【００１８】そして暴走車がストップ柵を押せば梃子の応用で車両を載せた型枠を床面から浮上させる機構になす、（第２図）【００１９】この為、暴走車両がストップ柵を押せば、車輪の推進力が空転を為し、暴走が制御される【００２０】平常、空転体は床面に接触を為しているため、急激な応力が掛らなければ、車両の走行に支障は来たさない、尚、空転体に任意の回転抵抗を保持させても良く、形状に合わせ接地面を増大させても可能であり、空転体と接する床面にブレーキ機能を持たせてもよい
【図面の簡単な説明】
【００２１】
【図１】本発明の機構例の斜視図
【図２】本発明の機能作動状態の側面図（梃子利用方法の例）
【図３】本発明の機能作動状態の側面図（ブレーキ解除方法の例）
【図４】本発明の機能作動状態の側面図（穴陥落方法の例）
【符号の説明】
【００２２】    １・空転体ローラー型枠
２・車両ストップ柵
３・梃子作動部
４・空転防止用ブレーキ
５・空転ローラー
【図１】
2009138511.tif 000003
【図２】
2009138511.tif 000004
【図３】
2009138511.tif 000005
【図４】
2009138511.tif 000006
(57)【要約】【課題】不同沈下によるアンカーボルトからの引張力の伝達を規制し、引張力による建物の損傷を防止すると共に不同沈下初期の僅かな変位を検出できるようにする。【解決手段】鉄骨構造に於いて、柱（１）とそのフランジやウエブに対応させた構造のブラケット（３）を継目板（４，５）並びに継目板（１０），当て板（１１，１２）及び継目板（２０），当て板（２１，２２）を介してボルト・ナットにより摩擦接合した柱脚【選択図】図１
2009138513.tif 000002
【特許請求の範囲】
【請求項１】
鉄骨構造に於いて、柱（１）と柱（１）のフランジやウエブに対応させた構造のフランジやウエブを持つブラケット（３）を継目板（４，５）並びに継目板（１０）と当て板（１１，１２）及び継目板（２０）と当て板（２１，２２）を介してボルト・ナットにより摩擦接合した柱脚
【発明の詳細な説明】
【発明の詳細な説明】
【産業上の利用分野】
【０００１】本発明は鉄骨構造建物の不同沈下に対応させる部材に関する。
【背景技術】
【０００２】従来から鉄骨構造の工場等では不同沈下よる引張力がアンカーボルト、ナットを経てベースプレートに伝達され、結果としてブレースの破断や窓ガラスの破損をもたらしてきた。その上、不同沈下初期の僅かな現象は発見しづらいので、対応が遅れ勝ちにならざるを得ないばかりか防止法としては基礎地盤の強化しか無く、予測困難な不同沈下への対応には不完全とならざるを得なかった。
【発明が解決しようとする課題】
【０００３】不同沈下による引張力の伝達を規制し、引張力による建物の損傷を防止する。
【０００４】不同沈下初期の僅かな変位を検出できるようにする。
【課題を解決するための手段】
【０００５】柱を不同沈下量を吸収すると共にアンカーボルトの規定荷重を摩擦伝達できる機能を持った柱脚に締結する。
【作用】
【０００６】不同沈下が発生した際、アンカーボルトからの引張力を柱脚から柱への摩擦伝達力に制限できる。
【０００７】摩擦伝達部の変位が検出できる。
【実施例】
【０００８】図１に於いて、１は柱、２はブレース、３はブラケットでベースプレート３ｇがある。
４は継目板、５は裏側の継目板、６及び７はボルト・ナット、８はアンカーボルト、９はナットである。ブレース２は柱１に対して角度θで配置されている。柱１のウエブ１ａに接しているブラケット３のウエブ３ａには長孔３ｂがある。継目板４，５はウエブ１ａ，３ａを鋏みボルト・ナット６，７により締結され摩擦接合となっている（摩擦伝達部）。そして両側面には継目板１０と当て板１１，１２及び継目板２０と当て板２１，２２がある。【０００９】図２は図１の側面図であり１ｂ，１ｃは柱１のフランジである。３ｃ，３ｅはブラケット３のフランジであり、長孔３ｄ，３ｆがある。１０は継目板、１３及び１４はボルト・ナットである。図１の当て板１１及び１２はフランジの裏側で継目板１０に対応し、ボルト・ナット１３，１４により締結され摩擦接合となっている（摩擦伝達部）。同様に２０は継目板、２３及び２４はボルト・ナットである。図１の当て板２１及び２２はフランジの裏側で継目板２０に対応し、ボルト・ナット２３，２４により締結され摩擦接合となっている（摩擦伝達部）。【００１０】常時、柱１に負荷される圧縮荷重はウエブ，フランジからブラケット３のウエブ，フランジに伝達され、風等による引張力はボルト締付力×摩擦係数＝摩擦力によって保持されている。摩擦力を決定づける締付力の規定には特許第２５２９８３５号ボルト締付力検出座が好適で高い精度が得られる。その結果アンカーボルトの規定荷重に対応した適切な摩擦力が得られる。    不同沈下が発生すると柱１とブラケット３とが分離されブレース２には引張力が生ずる。その際、継目板４及び５の下端はブラケット３に対して相対的に上昇し、ボルト・ナット７のボルト部分は長孔３ｂ内を上昇する。ボルト締結のナットの緩みを観るための合いマーク同様、継目板４及び５の下端とブラケット３とに合いマークをつける事ことで小さな不同沈下量を確認する事ができる。図２のフランジ部も同様に継目板１０及び２０の下端はブラケット３に対して相対的に上昇し、ボルト・ナット１４及び２４のボルト部分は長孔３ｄ及び３ｆ内を上昇する。【００１１】一般建築では基礎が不同沈下するとアンカーボルトによりベースプレートは引き下げられブレースも引張られる。このため発生するブレースの引張応力は断面積の大小には無関係で部材長と伸び量で決定される。
引張応力σ＝ΔＬ＊Ｅ／Ｌ    ΔＬ伸び量    Ｌ部材長    Ｅ  弾性係数
例えば柱間隔３５００ｍｍ、θ４５°の場合には不同沈下１５ｍｍ程度でＳＳ４００材では破断強度を超える。
【発明の効果】
【００１２】本発明は以上のように構成されているので、下記のような効果が得られる。
【００１３】不同沈下が発生した際、アンカーボルトからの引張力を柱脚から柱への摩擦伝達力に制限する事ができる。
【００１４】摩擦伝達部の変位（継目板とブラケット間）を検出する事が可能なので不同沈下初期に対策（アンカー部の修正）がとれ、ブレースの破断が防止できる。
【図面の簡単な説明】
【００１５】
【図１】  実施例の正面図
【図２】  実施例の側面図
【符号の説明】
１柱                ２ブレース          ３ブラケット        ４継目板
５継目板            ６ボルト・ナット    ７ボルト・ナット    ８アンカーボルト
９ナット          １０継目板          １１当て板          １２当て板
１３ボルト・ナット  １４ボルト・ナット  ２０継目板          ２１当て板
２２当て板          ２３ボルト・ナット  ２４ボルト・ナット
【図１】
2009138513.tif 000003
【図２】
2009138513.tif 000004
(57)【要約】【課題】従来、墓石、墓誌には戒名、死亡年月日、名前、死亡年齢、家紋などがそのまま彫り込まれていた。しかしながらこれらの故人メモリアル情報は長い歳月を経ると消滅する可能性がある。またこれらのメモリアル情報の一部に記載ミスがあればこの墓石、墓誌は再製作する必要があった。【解決手段】半永久的な耐久性のある陶板に故人のメモリアル情報を焼き付けて製作する。墓石、墓誌の表面には切り込みが設けられておりここにこの陶板を埋設する。また墓石の上面は斜面となっている為に墓地において参拝者は容易に埋葬者の位置を見つける事ができる。【選択図】図１
2009138508.tif 000002
【特許請求の範囲】
【請求項１】
故人のメモリアル情報を焼き付けた陶板と、墓石には本陶板を埋設する切り込みを設け前記陶板を埋設して形成した墓石。
【発明の詳細な説明】
【技術分野】
【０００１】本発明は、半永久的な耐久性がある陶板に故人のメモリアル情報を焼き付け埋設した墓石に関するものである。
【背景技術】
【０００２】以前から墓石、墓誌では戒名，死亡年月日、名前、死亡年齢、家紋などが直接石材へ彫り込まれていた。また例えば特許文献１では、石材とガラスとの組み合わせた墓石が考案されこの出願ではガラス板に故人のメモリアル情報を刻みこんでいる。【０００３】
【特許文献１】登録実用新案第３０６６７２８号
【発明の開示】
【発明が解決しようとする課題】
【０００４】しかしながら故人のメモリアル情報をこのような物に彫り込む場合には次のような問題があった。
問題１：彫りこみ塗装した文字は数十年で風化する。従って彫り込まれた文字は時間と共に見えなくなっていた。
問題２：墓石、墓誌は大きさの制限がある為に、例えば戒名、死亡年月日、名前など以外の多くの文字の彫り込みには制限があった。
問題３：一字でも彫り間違いのある場合、墓石、墓誌などは新たな石材を手配し再度彫り込みを行う必要があった。
問題４：自然葬ではなるべく墓を築かない事が求められている。しかし全く墓石を築かないとすれば故人がどこに埋葬されているか分からなくなってしまう。従って故人の埋葬位置を示す新たな墓標が求められている。
【課題を解決するための手段】
【０００５】本発明は上記の問題点を解決する為に行うものであり、故人のメモリアル情報を陶板に焼き付け制作しこれを墓石に埋設する事を特徴としている。
本発明の墓石の表面、裏面、及び側面には、この陶板を埋設できる切り込みが設けられており、また墓石の表面は傾斜をもって構成されている。
【発明の効果】
【０００６】本発明により、耐久性のある陶板により故人のメモリアル情報が半永久的に保存される。また陶板と墓石は別々に製作する事が出来るのでもし当メモリアル情報の誤記があれば陶板のみ製作すればよい。さらにこの陶板を埋設する場所は墓石の任意の場所を選定できる為に大量の情報が保存できる。また墓石の上面は傾斜をもって形成されている。従って参拝者は本墓石の下に埋葬された故人を容易に認識する事ができ墓標としての役割を果たす事ができる。なお本発明では陶板上の故人メモリアル情報は二次元バーコードで生成する事も可能である。この二次元バーコードの利用は故人の個人情報を保護する事にもなる。
【発明を実施するための最良の形態】
【０００７】以下、本発明の実施の形態について図面を参照しながら説明する。
図１は本発明の墓石と陶板の構成を示す斜視図である。
墓石１には陶板３を埋設する為の切り込み２を設ける。この墓石１の上面は傾斜して製作されている。陶板３には故人メモリアル情報４が焼き付けられている。この故人メモリアル情報４としては、例えば戒名、死亡年月日、名前等の文字情報の他に、画像情報として家紋、本人の写真、俳句や絵など故人が生前に制作した著作物、二次元バーコードなどがある。なお二次元バーコードはＱＲコードともよばれ携帯電話で内容を読み取られる。この二次元バーコード自体は白黒の文字パターンであるためにこの中に書かれている故人情報を携帯電話無しには直接読み取る事はできない。従って故人の個人情報保護にもなる。
本発明では、まず陶板３に故人メモリアル情報４を焼き付け制作する。墓石１では上面、正面、側面、裏面などに陶板３を埋設する事ができ墓石制作者が希望する位置に陶板３を埋設できる。従ってこれらの多くの面積に多くの故人メモリアル情報４を記載する事ができる。埋設にあたっては墓石１に陶板３が収容できるよう切り込み２が施されているので前記制作済みの陶板３をそのまま埋設できる。なお埋設時には陶板３の裏面に接着剤を貼付して埋設すれば墓石１から陶板３の剥離を防ぐ事ができる。
またもしこの故人メモリアル情報４に誤記があった場合には、この陶板３のみを再度制作すれば良い。つまり墓石自体を再入手し加工する必要はない。
このようにして製作した墓石１は霊園の中に故人の墓として安置する。この墓石１は矩形になっているためにそのまま土の中に埋める事ができる。この場合、墓石１の上部が斜めに傾きをもって製作されている為に、霊園では参拝者が容易に故人の埋葬場所を探す事ができる。
【図面の簡単な説明】
【０００８】
【図１】本発明の墓石、陶板に関する説明用の斜視図
【符号の説明】
【０００９】１  墓石
２  切り込み
３  陶板
４  故人メモリアル情報
【図１】
2009138508.tif 000003
(57)【要約】【課題】  本発明は、セフテイコーンの設営や撤収や移動等の運搬作業を効率良く迅速容易にすることができる手提げ式セフテイコーンを提供する。【解決手段】  セフテイコーン本体（１）の斜壁面上部に通し孔（２）をあけ、なるたけ小さく細く、しかも斜壁面に寄り添う形に曲げ加工した提げ手用の支持フレーム（３）を挿通し、軸着せしめたことを特徴とする。【選択図】図１
2009138510.tif 000002
【特許請求の範囲】
【請求項１】
セフテイコーン本体（１）の斜壁面上部に通し孔（２）をあけ、提げ手用の支持フレーム（３）を挿通し、軸着せしめた手提げ式セフテイコーン。
【発明の詳細な説明】
【技術分野】
【０００１】  本発明は、セフテイコーンの設営や移動や撤収等の運搬作業を効率よく迅速容易にすることができる手提げ式セフテイコーンに関するものである。
【背景技術】
【０００２】  従来、ほとんどのセフテイコーンは、斜壁面がつるつるの円錐形で、しかも運搬用の提げ手は付いていなかつた。なかには、取つ手部を出張り形に一体成形したものもあつたが、出張り部分が大きい為に邪魔となり、運搬等には不向きであつた。
【発明の開示】
【発明が解決しようとする課題】
【０００３】  そのために次のような問題点があつた。
（イ）従来、セフテイコーンの設営や移動や撤収等の運搬作業では、セフテイコーン底部の角を少々持ち上げ片手を挿入し、もう一方の手でセフテイコーンの頭部をつかみ、両手を使用しての作業は、極めて効率が悪く面倒であつた。
（ロ）しかも、風圧対策用に底部に重しを装着している場合が多く、それらを運搬するときには、なおさら大変であった。
（ハ）そのため、大量運搬を必要とする時は、多く人手と時間とを要した。
（ニ）また、積み重ね置き保管をしたばあい、セフテイコーンが円錐形でかも同質素材のために相互同士の密着性が強く、積み重ね置きからの取り出し作業は、極めて面倒であった。
本発明は、以上の問題点を解決するためになされたものである。
【問題を解決するための手段】
【０００４】  セフテイコーン本体（１）の斜壁面上部に通し孔（２）をあけ、なるたけ小さく細く、しかも斜壁面に寄り添う形に曲げ加工した提げ手用の支持フレーム（３）を挿通し、軸着せしめる。
本発明は、以上の構成よりなる手提げ式セフテイコーンである。
【発明の効果】
【０００５】  本発明は、セフテイコーン本体の斜壁面上部に通し孔をあけ、なるたけ極小に、しかも斜壁面に寄り添う形に曲げ加工した提げ手用の支持フレームを挿通し、軸着せしめた手提げ式セフテイコーンなので、本発明の使用時には、支持フレームが自然に下げ置かれるので通行人等の邪魔にならないばかりか支持フレームに広告看板等を容易に添架できるので大変便利である。
運搬作業時には、下げ置かれた支持フレームを起こし立てれば手提げ式となり、手を入れて持ち上げれば、重しが付いているものでも簡単容易に運搬する事が出来る。
また、従来、セフテイコーンを積み重ね置きをしたばあい、セフテイコーンが円錐形の同質素材のために相互同士の密着性が強く、積み重ね置きからの取り出し作業は、極めて困難で面倒であった。当発明の手提げ式セフテイコーンの場合は、重ね置き保管をすると、支持フレームをなるたけ極小に、しかもセフテイコーン本体の斜壁面に寄り添う形に曲げ加工してあるので、突起物による弱干の空間が出来、セフテイコーン同士が相互密着せず、驚くほど取り出し作業がが容易になるので、運搬作業等はかなり効率的となる。
以上を特徴とする手提げ式セフテイコーンである。
【発明を実施するための最良の形態】
【０００６】  以下本発明の実施の形態について説明する。
（イ）セフテイコーン本体（１）の斜壁面上部に通し孔（２）をあけ貫通せしめ、なるたけ極小に、しかも斜壁面に寄り添う形に曲げ加工した提げ手提げ用の支持フレーム（３）を通し孔（２）に挿通して軸着する。
（ロ）支持フレーム（３）の提げ手箇所に、手の保護のためにクッション材（４）を装着する。
本発明は、以上の構成よりなっている。
本発明を使用するときには、支持フレーム（３）が自然に下げ置かれるので通行人等の邪魔にならないばかりか、支持フレーム（３）に広告看板等を容易に添架できるので大変便利である。
運搬作業時には、下げ置かれた支持フレーム（３）を起こし立てれば手提げ式となり、たとえ重しが付いていても簡単容易に運搬する事が出来る。
従来のセフテイコーンを積み重ね置きをしたばあい、セフテイコーンが円錐形の同質素材のために相互同士の密着性が強く、積み重ね置きからの取り出し作業は、極めて困難で面倒であった。当発明の場合は、手提げ用の支持フレーム（３）を、なるたけ小さく細く、しかもセフテイコーン本体（１）の斜壁面に寄り添う形に曲げ加工した下げた状態で重ね置き保管をすると、突起物による弱干の空間が出来、セフテイコーン同士が相互密着せず、驚くほど取り出し作業がが容易になる。
【図面の簡単な説明】
【０００７】
【図１】本発明の使用状態を示す斜視図
【図２】本発明の支持フレームを起こした状態を示す斜視図  （ａ）は正面図  （ｂ）は側面図  （ｃ）は平面図
【図３】本発明の支持フレームを下げた状態を示す斜視図  （ａ）は正面図  （ｂ）は側面図  （ｃ）は平面図
【符号の説明】
【０００８】  １  セフテイコーン本体
２  通し孔
３  支持フレーム
４  クッション材
【図１】
2009138510.tif 000003
【図２】
2009138510.tif 000004
【図３】
2009138510.tif 000005
(57)【要約】      （修正有）【課題】便所室内で、手洗い機能と便器、便座表裏、便所室の壁、床に飛び跳ねた汚物などの水洗い清掃機能を兼用する手洗器を提供する。【解決手段】便所室内に配置するキャビネット付手洗器１の水栓２として、キャビネット内に収納可能な引き出し式ホース３に接続されたシャワーヘッドを備えたシャワー式水栓２を備えた。収納可能な引き出し式ホース３は、便器、便座表裏、便所室の壁、床を水洗い清掃可能な長さとした。【選択図】図１
2009138506.tif 000002
【特許請求の範囲】
【請求項１】
便所室内で使用の、従来の手洗い用整流の目的と、便器、便座の表裏、便所室の壁、床に飛び跳ねた汚物など便所室の丸ごと水洗い清掃の目的を兼用させた収納可能な引き出式ホースのハンドシャワー水栓手洗器
【発明の詳細な説明】
【技術分野】
【０００１】  本考案は、便所における手洗器のハンドシャワー水栓を手洗い用整流と、便器、便座の表裏、便所室の壁、床に飛び跳ねた汚物など便所室を水洗い清掃をするシャワー吐水の両方法を可能としたことで、従来の手洗いだけでなく、便器、便座の表裏、便所室の壁、床に飛び跳ねた汚物など便所室水洗い清掃することに関するものである。
【背景技術】
【０００２】  便所における手洗器ハンドシャワー水栓に、手洗い用の整流と、便器、便座の表裏、便所室の壁、床に飛び跳ねた汚物など便所室を水洗い清掃するシャワー吐水の両方法を兼用させたもの。
本考案における新たな利点は、従来の水栓と異なり、ハンドシャワー水栓のホースを必要時に必要な長さのホースを引き出してハンドシャワーを使用し、不必要な時は水洗器下のキャビネット内に収納出来ることである。この結果、ハンドシャワーのホースを手洗器から随時必要な時に必要な長さを引き出すことによって、シャワー水洗で、便器、便器外側、便所室の壁、床に飛び跳ねた汚物など便所室を丸ごと水洗いすることを可能とする。
【発明の開示】
【発明が解決しようとす課題】
【０００３】  従来の便所手洗器では手洗いのみを行なうのが目的であった。その場合、便器、便座表裏、便所室の壁、床に飛び跳ねた汚物など便所室の清掃は目的内に含まれていない。便座表裏、便所室の壁、床に飛び跳ねた汚物など便所室の清掃は一般的に拭き掃除が主流で、悪臭や不衛生な環境が大きな問題点であった。
【課題を解決するための手段】
【０００４】  本考案はハンドシャワー水栓の手洗器で、従来の手洗器で行なう手洗いだけでなく、ハンドシャワーにはホースがあるので、必要時に必要なだけの長さを引き出すことができる。またこのホースは不必要な際は、手洗器下に設置したキャビネット内にコンパクトに収納できるようにする。
【発明の効果】
【０００５】    引き出し可能なホース機能を持つハンドシャワー式水栓の手洗器により、従来は手洗い専用の手洗器の水栓だけでは届かなかった部分にまで水洗いの機能が至ることが可能で、便器、便座の表裏、便所室の壁、床に飛び跳ねた汚物など便所室のまるごと水洗いが出来るようになり、便所内の不衛生な環境、悪臭を簡便に防ぐことができるようになる。
【発明の実施するための最良の形態】
【０００６】  以下、本発明の実施の形態を図に基づいて説明する。
【０００７】  便所内の手洗器にハンドシャワー式水栓にする。
【図面の簡単な説明】
【０００８】
【図１】本発明の実施形態を示す手洗器の全体図
【符号の説明】
【０００９】［図１］１  手洗器
２  ハンドシャワー式水栓
３  ハンドシャワーに連なる収納可能な引き出し式ホース
４  手洗器下のキャビネット
５  清掃用ブラシ
【図１】
2009138506.tif 000003
(57)【要約】  【課題】      エネルギーが無くても、人間の力で、最終時期に１分間に１００００回転      軸トルク１ＫＮメーターの回転動力、高出力、高性能型原動機の技術を提供      する。  【解決手段】      油圧の往復エネルギー、パスカルの原理を回転動力に改良した原動機の構造      部品、ＣＶＴ入力レバーシャフト、油圧ジャッキピストン、サイクロイド      ポンプインペラー、出口側に今まで、できなかったベアリング効果を与え      油圧ジャッキピストンのストローク範囲に真空状態の負圧を、サイクロイド      ポンプインペラーに、入力する方向に、与え、窒素ガスＮ３導入で、膨張、          戻りを、必死で抑え、対流効果に改良させ、往復回転機関を備えた。  【選択図】  図１
2009138622.tif 000002
【特許請求の範囲】
【請求項１】
油圧の往復エネルギーパスカルの原理を、往復回転動力に改良した
高出力高性能型原動機
【請求項２】
自動車、オートバイ、レース車両に搭載可能できるエネルギーを
使わない、人間の力で、最終時期１分間に１００００回転サイクロイド
ポンプインペラ速度、トルク１ＫＮメーターの回転動力を誕生にする
高出力高性能型原動機
【発明の詳細な説明】
【技術分野】
【０００１】
本発明は、油圧の往復エネルギーを回転動力に改良させた高出力、高性能型原動機
に関するものである。
【背景技術】
【０００２】
原動機、内燃機関、燃料エネルギーを使用して、モーター、バッテリーの電池
エネルギーを使用して、回転動力に変えるため高性能化しているけど、エネルギー
を使わず、人間の力で、回転動力、高出力を出すことができなかった。
【０００３】
従来の原動機は、エネルギーを使用して、コンフォートである分エネルギーが無いと、人間の力で、回転動力、高出力を産み出すことは、スタミナ的に難しい。
【特許文献１】特開２００２−３７１９５１公報
【発明の開示】
【発明が解決しようとする課題】
【０００４】
原動機は、エネルギーが無いと、人間の力で、回転動力、高出力を産み出すことが
難しいという問題点が大きい。
【課題を解決するための手段】
【０００５】
本発明は、この難問を解決しようとするもので、人間の力を倍力させ、終わりの無い回転動力、高出力を産み出し、内燃機関、モーターの原動機の新しい仲間になることを目的とするものである。
【０００６】
本発明は、油圧の往復エネルギーを回転動力に改良させた原動機である。
【発明の効果】
【０００７】
本発明によれば、油圧の往復エネルギーを回転動力に改良させた原動機により
人間の力で、大きな力を誕生させることにより、エネルギーが無くても、回転動力
高出力を可能にする。
【発明を実施するための最良の形態】
【０００８】
油圧ジャッキピストン、入力するためにストローク範囲を限り無く真空状態の負圧
エネルギー、窒素ガスＮ３を導入し、戻りを必死で、対流効果に実現した。
【実施例】
【０００９】
本発明の高性能パスカルＭＯＴＩＶＥ原動機は、図１に示されるように、ＣＶＴ
入力レバーシャフト１に、油圧ジャッキピストン２を入力して、パスカルの原理で
インペラー３を、初期に１分間に６００回転させて、連続に、ＣＶＴ入力レバーシャフトを、人間の力で操縦して、最終時期に１００００回転、インペラー速度、トルク
１ＫＮメーターの動力を誕生させ、出口４、今まで、往復することができなかった
油圧の油路にベアリング効果を与え圧力の戻りを必死で抑えて、油圧ジャッキピストンを作動して、インペラを回転させて、終わりの無い力を誕生させる。                
【産業上の利用可能性】
【００１０】
上述の発明は、エネルギーを使用して、回転動力に変えていた、原動機の内燃機関
電池モーターを、時空を超えて、エネルギーを使わなくて良い、人間の力で高出力
高性能回転動力を高めた、高性能パスカルＭＯＴＩＶＥ原動機として利用可能である
【図面の簡単な説明】
【００１１】
【図１】本発明にかかる高性能パスカルＭＯＴＩＶＥ原動機の構成を示す外観図である
【符号の説明】
【００１２】
１ＣＶＴ入力レバーシャフト
２油圧ジャッキピストン
３インペラ
４出口
【図１】
2009138622.tif 000003
(57)【要約】      （修正有）【課題】大気中の引力による重力のみで、動力を発生させる。【解決手段】エスカレーター式昇降機を組み込んだ回転板２にガイドレールに沿って転がる重り３を設置し、それを３組を１セットとして、６０度づつ、ずらして動力伝達軸１に取り付け、常に１組の重り３が真下に来た時には、２組目の重り３は動力伝達軸１の右斜め下の位置にあって回転荷重を真下へ向かって掛けており、３組目の重り３はスルーして何の役にも立っていない状態に設定して、常に、１つの重りがもう１つの同重量の重り３を垂直落下高以上に持ち上げて右下方向へ転がさなければ、本発明装置は回転しない。持ち上げられる重り３が、エスカレーター式昇降機の受け板４、５組み込まれた時点での合計重量と、ほぼ同等の重量の吊り重り８を滑車６の反対側にロープ９にて吊るす。これにて、持ち上げられる重り３は重力を殆ど失い、簡単に垂直落下高以上に持ち上がり、右下方向へと転がって行く。【選択図】図１
2009138727.tif 000002
【特許請求の範囲】
【請求項１】
引力により、回転落下してきた重りを、滑車を用いたほぼ左右均衡の昇降装置にて持ち上げる事により、引力による重力のみにて回転し続け、動力を発生させる装置。
【発明の詳細な説明】
【技術分野】
【０００１】  本発明は、化石燃料等を必要とせず、引力による重力のみにて稼動する動力発生装置に関するものである。
【背景技術】
【０００２】  従来の動力装置は、化石燃料が必要な内燃機関であり、それで発生する大気汚染や地球温暖化、又、近年の大量消費による化石燃料資源の枯渇も問題視されている。【０００３】  それゆえ、最近ではエコエネルギーと称して風力発電や太陽熱発電等の開発に余念が無いが、天候気象に左右され、安定した動力が期待できない。
【発明の開示】
【発明が解決しようとする課題】
【０００４】  化石燃料を使用せず、天候気象に左右されず、安全且つ安定したエネルギーを供給する事にある。
【問題を解決しようとする課題】
【０００５】  本発明は、引力による重力という人畜無害な半永久的エネルギーを、最大限に利用することを最も主要な課題とする。
【発明の効果】
【０００６】  本発明装置は、重力さえあれば所、場所を選ばず、発電もするのでメンテナンスさえきちんとすれば各家庭、戸別にも設置でき、送電線、電柱等も不要となる。
【発明を実施する為の最良の形態】
【０００７】  回転しながら落下して真下に来た重りを、これから落下しようとする別の重りの荷重によって、落下高以上に押し上がり、これによって押し上げてくれて真下に落下した別の重りを押し上げる役目をする。このように交互に相手の重りを押し上げる事によって連続回転を可能とする。
【０００８】  本来、真下に落下した重りを、別の同質量の重りの荷重で落下高以上に押し上げる事は不可能であり、物理的にも無理な事である。
これを可能にしたのが、滑車にロープを掛けて両サイドに重りを吊り下げて重りを上げ下げする、いわゆるエレベーター式の昇降機を組み合わせて、押し上がる重りの重量を無重力に近い状態にする事である。
【実施例１】
【０００９】  図１は、詳細断面図である。
図２は、図１の状態で、そこから重り（３）が持ち上がり、右側奥へと転がっていくまでの３態を図示している。
図３は、判りやすくする為に図面を簡略化しているが、要は図１の物を３組６０度角づつ、ずらして組み合わせた作動状況の回転板（２）と重り（３）の回転移動状態を図示したものである。【００１０】  本発明は、回転板と昇降機の組み合わせを３組に限定してはおらず、４組にしたければ４５度角づつ、ずらして、回転板（２）のガイドレールの形状が多少変わるだけである。【００１１】  まず、図１の状態は図３−Ａ−１であり、重り（３）は真下にあり、図３−Ｂ−１の重り（３）は回転荷重が掛かり今から真下へと落下しようとしており、図３−Ｃ−１は６０度角移動中スルーしているだけで何の役目もしていない。つまり、３組のうち仕事をしているのは常に２組だけであり、１つの重り（３）が１つの重り（３）を持ち上げている事となる。【００１２】  図１の状態には、図３−Ｂ−１のように同質量の重り（３）の回転荷重が掛かっており、当然、図１の重り（３）はエレベーター式昇降機の受け板（４）と（５）に挟まれてエレベーター式昇降機と一体化してしまう。【００１３】  エレベーター式昇降機の吊り重り（８）の重量は、受け板（４）、（５）、重り（３）の重量の合計とほぼ同重量にしてある。
同重量という事はエレベーター式昇降機の左右のバランスがとれている事であり、一種の無重力状態になっているという事である。【００１４】  無重力ということは、重り（３）は重さがゼロに近くなっており、図３−Ｂ−１の同重量の重り（３）１つで簡単に持ち上げられてしまうという事である。
あとは、図１、図２、図３を見て判るように、常に、重り（３）の回転荷重が右側より掛かっており、機械が壊れない限り回転し続ける事となる。【００１５】  尚、（００１３）の項で左右の重量をほぼ同重量と説明しているが、ほぼというのは、微量だが図１の図面上の右側、つまり上がった昇降機を降しやすくする為に、微妙な重量の違いを持たせているという事である。【００１６】  図１の図面が複雑化する為、省略しているが受け板（４）、（５）の作動時に起こる揺れを止め、尚且つ、スムーズに上下運動させ、更に、上限、下限のストッパー付きのガイドパネルを図示していないのは、文章にて事足りると思われるので省略した。【００１７】  尚、回転板（２）は円形とは限らず、棒状の組み合わせでも同じ事であり、又、重り（３）も球状でも棒状でも形状に関わらず同じ効果をもたらす。
【図面の簡単な説明】
【００１８】
【図１】  本発明装置の断面図である。
【図２】  本発明装置の一部作動状況断面図である。
【図３】  本発明装置の稼動状況簡略図である。
【符号の説明】
【００１９】  ［１］    動力伝達軸
［２］    ガイドレール付き回転板
［３］    重り
［４］    上受け板
［５］    下受け板
［６］    滑車
［７］    滑車軸
［８］    吊り重り
［９］    ロープ
【図１】
2009138727.tif 000003
【図２】
2009138727.tif 000004
【図３】
2009138727.tif 000005
(57)【要約】【課題】本発明は、仮想遺伝子情報を用いた変形度合いをマッチングするマッチング装置で、生物の変化を認識できる生物画像のマッチング装置を提供することを課題とする。【解決手段】生物の原形画像を変形させた目標画像を作成する目標画像作成部と、前記生物の遺伝子情報ＤＢから、前記変形の発生に関連する因子を選択する選択部と、前記選択した因子を、前記原形画像に適用することにより合成画像を形成する合成画像作成部と、前記目標画像と合成画像を対比し、類似度を判定する判定部とを有することにより解決した。【選択図】 図１
2009254490.tif 000002
【特許請求の範囲】
【請求項１】
生物の原形画像を変形させた目標画像を作成する目標画像作成部と、
前記生物の遺伝子情報から、前記変形の発生に関連する因子を選択する選択部と、
前記選択した因子を、前記原形画像に適用することにより合成画像を形成する合成画像形成部と、
前記目標画像と合成画像を対比し類似度を判定する判定部と、
を有することを特徴とする生物画像マッチング装置。
【請求項２】
前記遺伝子情報は、差異の種類毎に選択可能であることを特徴とする請求項１に記載の生物画像マッチング装置。
【請求項３】
前記目標画像と合成画像を対比し類似度は、点数、百分率、グラフ、色のいずれか１種、またはこれらを組み合わせて表示する表示手段を有することを特徴とする請求項１または２に記載の生物画像マッチング装置。
【発明の詳細な説明】
【技術分野】
【０００１】
本発明は、生物の遺伝子に関する遺伝的情報を利用して、動物、植物等の生物の変形画像を表示し、遺伝子情報の選択が適合状態を判定する生物画像のマッチング装置に関するものである。
【背景技術】
【０００２】
電子ゲーム装置は、多数存在するが、多くは動物、植物等の生物の遺伝子情報に関する仮想因子を用い、マッチングさせるゲーム装置は見当たらない。
【発明の開示】
【発明が解決しようとする課題】
【０００３】
本発明の目的は、仮想遺伝子情報を用いたマッチング装置で、生物の変化を認識できる生物画像のマッチング装置を提供することである。
【課題を解決するための手段】
【０００４】
請求項１に記載された発明は、生物の原形画像を変形させた目標画像を作成する目標画像作成部と、
前記生物の遺伝子情報ＤＢから、前記変形の発生に関連する因子を選択する選択部と、
前記選択した因子を、前記原形画像に適用することにより合成画像を形成する合成画像形成部と、
前記目標画像と合成画像を対比し類似度を判定する判定部と、
を有することを特徴とする生物画像マッチング装置である。
【０００５】
請求項２に記載された発明は、前記遺伝子情報は、差異の種類毎に選択可能であることを特徴とする請求項１に記載の生物画像マッチング装置である。
【０００６】
請求項３に記載された発明は、前記目標画像と合成画像を対比し類似度は、点数、百分率、グラフ、色のいずれか１種、またはこれらを組み合わせて表示する表示手段を有することを特徴とする請求項１または２に記載の生物画像マッチング装置である。
【発明の効果】
【０００７】
本発明によれば、原形画像と目標画像を対比し、遺伝子情報から前記両画像間の差異に関連する仮想因子を遺伝子情報から選択し、この選択した因子を原形画像に適用することにより、合成画像を作成し、この合成画像と前記目標画像を対比し、類似度を判定することにより類似度の程度を競うことが可能となり、今までにないマッチングゲームとして楽しむことが可能となった。
【発明を実施するための最良の形態】
【０００８】
以下、図面を参照して本発明の実施の形態の一例につき詳細に説明する。
図１は生物画像マッチング装置のシステム構成図である。
【０００９】
原形画像１０を変形させた目標画像１１を作成する目標画像作成部１２と、前記原形画像１０と目標画像１１との差異に関する変形因子を、遺伝子情報ＤＢ２０から、前記変形の発生に関連する因子を選択する選択部２１を有し、前記原形画像１０に選択部２１で選択された因子を作用させた画像を作成する合成画像合成部２２、該合成画像合成部２２で合成された合成画像２３を表示する合成画像作成部２４を具備する。
さらに、前記目標画像１１と前記合成画像２２の類似度を判定する判定部３０を具備した生物画像マッチング装置である。
【００１０】
前記原形画像１０と目標画像１１の差異の比較は、前記両画像を表示装置に表示することにより差異を見出し、この差異に基いて、関連する因子を、前記遺伝子情報ＤＢ２０から選択し、選択部２１に抽出する。
前記関連する因子は、色、形状等の差異の種類毎に区分けしてある仮想遺伝子情報ＤＢから適宜選択し、選択部２１に抽出する。
【００１１】
次に、前記原形画像１０に、前記選択部２１に抽出された因子を画像合成部２２で合成し、合成画像２３を作成する。
そして、前記目標画像１１と前記合成画像２３との類似度を判定部３０で判定を行なう。
【００１２】
ここで、前記類似度は、色、形状等毎に分けて、点数、百分率、グラフ、色のいずれか１種、またはこれらを組み合わせて表示してもよいし、また、総合的な類似度を同様に判定してもよい。
この判定結果を、表示部に表示することにより、明示することができる。
【図面の簡単な説明】
【００１３】
【図１】本発明による遺伝子情報探索装置のシステム構成図。
【符号の説明】
【００１４】
１０・・・原形画像
１１・・・目標画像
１２・・・目標画像作成部
２０・・・遺伝子情報ＤＢ
２１・・・選択部
２２・・・合成画像合成部
２３・・・合成画像
２４・・・合成画像作成部
３０・・・判定部
【図１】
2009254490.tif 000003
(57)【要約】【課題】本発明は、人工網膜を用いた人工視覚装置において、人工網膜に受光した物体光の中の、色彩の識別化がより、人間の目による識別化にできるだけ近づけた人工視覚装置を提供することを課題とする。【解決手段】人工網膜と、前記人工網膜を介して物体像を受け、各マイクロレンズと受光部の間にカラーフィルタ層が設けられており、前記各マイクロレンズをそれぞれ各受光部に対向させて配置し、該各マイクロレンズを通して前記物体像を所定位置に集光し、電気信号に変換するマイクロレンズアレイを有する光電変換装置を配置することにより解決した。【選択図】  図１
2009254489.tif 000002
【特許請求の範囲】
【請求項１】
人工網膜と、前記人工網膜を介して物体像を受け、各マイクロレンズをそれぞれ各受光部に対向させて配置し、該各マイクロレンズを通して前記物体像を所定位置に集光し、電気信号に変換するマイクロレンズアレイを有する光電変換装置を配置したことを特徴とする人工視覚装置。
【請求項２】
前記光電変換装置は、固体撮像センサ、またはＣ−ＭＯＳセンサのいずれかからなる請求項１に記載の人工視覚装置。
【請求項３】
前記マイクロレンズアレイは、各マイクロレンズと受光部の間にカラーフィルタ層が設けられていることを特徴とする請求項１に記載の人工視覚装置。
【発明の詳細な説明】
【技術分野】
【０００１】
本発明は、人工網膜の入射面に形成された物体像を、形状、色等を識別化し電気信号に変換する人工視覚装置に関する。
【背景技術】
【０００２】
視覚により認識される画像は、無意識の中にそれらの画像を認識し、すなわち、物体の形状、色等情報をそれぞれ脳へと送られ、画像の認識が行われている。
また、人間の目に代わる人工網膜を用いた人工視覚装置の研究が進み、人間の視覚を補助する機能が発揮され、各種用途に使用されるようになっている（特許文献１参照）。
しかし、人工視覚装置に色彩の認識は、人間が認識する色彩との差がなかなか縮まらず、改善が求められていた。
【特許文献１】特開平５−２９７３２５号公報
【発明の開示】
【発明が解決しようとする課題】
【０００３】
本発明はこのような実情に鑑みてなされたものであり、その目的は、色彩の識別化がより、人間の目の識別化に近づけた人工視覚装置を提供することである。
【課題を解決するための手段】
【０００４】
本発明は、人工網膜と、前記人工網膜を介して物体像を受け、各マイクロレンズをそれぞれ各受光部に対向させて配置し、該各マイクロレンズを通して前記物体像を所定位置に集光し、電気信号に変換するマイクロレンズアレイを有する光電変換装置を配置したことを特徴とする人工視覚装置である。
【０００５】
請求項２記載の発明は、前記光電変換装置が、固体撮像素子センサ、またはＣ−ＭＯＳセンサのいずれかからなる請求項１に記載の人工視覚装置である。
【０００６】
また、請求項３に記載の発明は、各マイクロレンズと受光部の間にカラーフィルタ層が設けられているマイクロレンズアレイを用いたことを特徴とする人工視覚装置である。
【発明の効果】
【０００７】
本発明においては、人工網膜を介して物体像を受けた物体光を、電気信号に変換する光電変換装置は、マイクロレンズアレイを用いた光電変換装置を用いているので、受光感度を良好にすることができる。
また、前記光電変換装置として、各マイクロレンズと受光部の間にカラーフィルタ層を設けた構成とすることにより、色の識別化がより高精細度に行なうことが可能となった。
【発明を実施するための最良の形態】
【０００８】
以下、本発明の人工視覚装置について説明する。
図１に示すように、物体像は、ズームレンズ１０により人工網膜１１の入射面に形成され、光電変換装置１２は、人工網膜１１を介して物体像を受け、そのパターンを電気信号に変換する。
光電変換装置１２が、固体撮像素子センサの場合は、図２に示すように、高精細なマトリックス状の画素を備えている。
光電変換装置１２からの出力信号は、Ａ／Ｄ変換器１３でデジタル信号に変換された後、コンピュータ１４に取り込まれる。取り込まれた画像情報によりパターン認識に使用される。
【０００９】
また、前記光電変換装置１２として、固体撮像素子センサの場合、図３に示すように、画素毎に、半導体基板上２１上に受光部２２と電荷転送部２３が設けられている。
この電荷転送部２３上には、ゲート絶縁膜２４を介して電荷転送電極２５が設けられ、この電荷転送電極２５上には絶縁膜２６を介して、受光部２２上を開口した遮光膜７が設けられている。これらのゲート絶縁膜２４および遮光膜２７上には、透明平坦化層２８を介してカラーフィルタ層２９が形成されている。
このカラーフィルタ層２９上には、透明平坦化層３０が形成され、この透明平坦化層３０上にマイクロレンズ３１を多数配列したマイクロレンズアレイ３３が設けられている。
【００１０】
ここで、光電変換装置の具体例として、固体撮像素子センサについて説明したが、Ｃ−ＭＯＳセンサも同様に使用することができる。
【図面の簡単な説明】
【００１１】
【図１】本発明の人工視覚装置の構成を示す説明図である。
【図２】本発明に用いる光電変換装置の一例を示す説明図である。
【図３】本発明に用いるレンズアレイの一例を示す説明図である。
【符号の説明】
【００１２】
１０…ズームレンズ
１１…人工網膜
１２…光電変換装置
２２…受光部
２９…カラーフィルタ層
３０…マイクロレンズ
３１…マイクロレンズアレイ
【図１】
2009254489.tif 000003
【図２】
2009254489.tif 000004
【図３】
2009254489.tif 000005
(57)【要約】      （修正有）【課題】ボールマーカーを確実に保持し、なおかつ使用しやすい場所に固定することが出来るマーカーホルダーを提供する。【解決手段】磁気３とスプリング６を使用することにより、保持方法を強固なものにする。またカバー１を備える為、開口部を大きく取ることが出来、取り出しが容易になる。【選択図】図２
2009254391.tif 000002
【特許請求の範囲】
【請求項１】
本体内部に磁性体の素材をつかった摺動部品、上蓋カバー及びスプリングを持ち、それによりゴルフのボールマーカーを安全確実に保持することが出来る、ゴルフクラブグリップ部取り付け型のボールマーカーホルダー
【発明の詳細な説明】
【技術分野】
【０００１】  本発明は、ゴルフのボールマーカーを安全確実に保持する為のマーカーホルダーに関するものである。
【背景技術】
【０００２】  ゴルフプレイ中に必要不可欠でありながら、高級かつ紛失しやすい代表的なものの一つとしてグリーン内で使用するボールマーカーがある。プレイ中何度も出したりしまったりする為、その保管方法は重要であり、補助としてマーカーホルダーなるものが使用される。【０００３】今までのマーカーホルダーではポケットに入れる、帽子につける、ゴルフバックに取り付けるタイプのものなどが多く出ている。保持方法としては磁性を持つものに磁着させる、隙間に差し込むタイプなどがある。
【発明の開示】
【発明が解決しようとする課題】
【０００４】  しかし、ポケットやかばんに入れておくと必要な時すぐに取り出すことが出来なかったり、そばに無かったりということが起こり易かった。また同時にゴルフクラブに取り付ける形状ものでも、保持力が十分でなく、結果としてマーカーを欠落し紛失することが多かった。さらには無骨で質素が作りなものが多く、オリジナリティーやデザイン性ではほとんど期待が出来ない。
【課題を解決するための手段】
【０００５】  そこで、本発明は磁性による力とスプリングの力を利用し、更にカバーをかけることによって確実強固にボールマーカーを保持し、紛失を防ぐことが出来る。マーカーホルダー自体の取り付け場所もゴルフクラブのグリップ部と最もプレイ中に使い易い位置に設定出来る。
【発明の効果】
【０００６】  本発明ではまず第一にマーカーを紛失をしにくいこと、使用時の取り出し易さ、必要な状況において常に傍あること（グリーン内でパターの時に使う為）、そして構造上オリジナル化やデザインなどにおいても、今までのものより優れている。
【発明の実施をするための最良の形態】
【０００７】    以下、本発明の最良の実施形態を図面に基づき説明する。
【０００８】    磁性体及び非磁性体製のボールマーカー１０をカバー２内にスライドさせ、機械的及び磁気的に強固に保持し、ボールマーカー１０の欠落・紛失を防ぐ、機能性・ファッション性に優れたグリップ装着式のマーカー保持具を提供する。
【０００９】  本体１３をゴルフクラブ１１のグリップエンド９にネジ部８を締めこむことにより取り付け固定する。上蓋１を開け、ボールマーカー１０をスライドさせ挿入する。（上蓋１及びボディー部５はロゴ、柄、イラストなど様々なデザインが取り入れられ、ファッション性が高い）磁石３と内蔵のスプリング６により、非磁性体のボールマーカー１０もしっかりと固定出来、更に上蓋１を閉じることにより、ボールマーカー１０の欠落・錆び・損傷を防ぐことが出来る。
またマーカーが必要な際はカバーを開けることにより、開口部が大きくマーカー自体をスライドして取り出すことが容易である。
【図面の簡単な説明】
【００１０】
【図１】  上蓋カバー及び本体を後方から見た外観図
【図２】  本体内部構造の分解図
【図３】  ゴルフクラブに取り付ける際の全体図
【図４】  取り付けと、ボールマーカーを挿入方法を示した図
【図１】
2009254391.tif 000003
【図２】
2009254391.tif 000004
【図３】
2009254391.tif 000005
【図４】
2009254391.tif 000006